(57)【要約】【課題】誰でも容易且つ迅速にダイエット用の耳つぼを見つけ出すことが可能で、有用なダイエット管理が行えるようにすること。【解決手段】ダイエット用耳つぼの位置１０５０を他とは異なるよう領域表示し、第一の電極部１４２を耳に点接触させ、第二の電極部１４４を耳以外の皮膚表面に接触させ、第一の電極部と第二の電極部間の電気抵抗を計測し、計測結果を計測結果情報として記憶部１５０に記憶するとともに付帯情報を記憶し、計測結果情報は抵抗値が少なくなるにつれて大きく画面表示されるよう時系列的にグラフ表示し、グラフのピークを良導点として判定し、画面表示に連動可能に計測結果情報を電気抵抗値が少なくなるにつれて可聴音が高くなるようまたは可聴音の間隔が短くなるよう可聴音を出力し、計測結果情報及び付帯情報を通信ネットワーク２００を介して外部へ送出可能にしたことを特徴とする。【選択図】  図１
2016052517.tif 000002
【特許請求の範囲】
【請求項１】
ウェブブラウザ機能を有し通信ネットワークを介して各種情報を送受信する端末装置であって、
耳つぼの位置を画像表示する耳つぼ位置表示手段と、
この耳つぼ位置表示手段にて表示される耳つぼの位置からダイエット用の耳つぼ位置を他の耳つぼ位置の表示とは異なるよう領域表示させる領域表示手段と、
耳の皮膚表面に点接触状態で接触させる探針部を有する第一の電極手段と、
この第一の電極手段と接続し上記耳の皮膚表面以外の皮膚表面に面接触状態で接触させる第二の電極手段と、
上記領域表示手段にて領域表示される耳つぼ位置にて、上記第一の電極手段と上記第二の電極手段との通電状態に於ける電気抵抗の状況を計測する計測手段と、
この計測手段による電気抵抗の計測結果を計測結果情報として記憶するとともに、当該計測結果情報に関する付帯情報を記憶する計測情報記憶手段と、
この計測情報記憶手段の計測結果情報を動的に画面表示する表示手段と、
この表示手段の画面表示に連動可能に上記計測情報記憶手段の計測結果情報を可変的に可聴出力する出力手段と、
上記計測情報記憶手段の計測結果情報及び付帯情報を上記通信ネットワークを介して外部へ送出する送出手段とを具備したことを特徴とする耳つぼ検出端末装置。
【請求項２】
上記表示手段は、上記計測情報記憶手段の計測結果情報を電気抵抗値が少なくなるにつれて大きく表示されるよう時系列的にグラフ表示する機能を有し、
上記出力手段は、上記計測情報記憶手段の計測結果情報を電気抵抗値が少なくなるにつれて可聴音が高くなるようまたは可聴音の間隔が短くなるよう出力する機能を有し、
上記表示手段に表示されるグラフのピークを良導点として判定する判定手段を設けたことを特徴とする請求項１記載の耳つぼ検出端末装置。
【請求項３】
耳つぼの位置を画像表示する耳つぼ位置表示手段と、この耳つぼ位置表示手段にて表示される耳つぼの位置からダイエット用の耳つぼ位置を他の耳つぼ位置の表示とは異なるよう領域表示させる領域表示手段と、耳の皮膚表面に点接触状態で接触させる探針部を有する第一の電極手段と、この第一の電極手段と接続し上記耳の皮膚表面以外の皮膚表面に面接触状態で接触させる第二の電極手段と、上記領域表示手段にて領域表示される耳つぼ位置にて上記第一の電極手段と上記第二の電極手段との通電状態に於ける電気抵抗状況を計測する計測手段と、この計測手段による電気抵抗の計測結果を計測結果情報として記憶するとともに当該計測結果情報に関する付帯情報を記憶する計測情報記憶手段と、この計測情報記憶手段の計測結果情報を動的に画面表示する表示手段と、この表示手段の画面表示に連動可能に上記計測情報記憶手段の計測結果情報を可聴的に出力する出力手段と、上記計測情報記憶手段の計測結果情報及び付帯情報を送出する送出手段とを具備する耳つぼ検出端末装置と、
この耳つぼ検出端末装置とネットワークを介して接続し、上記送出手段から送出されてくる計測結果情報及び付帯情報を計測情報として格納する計測情報格納手段と、この計測情報格納手段に格納された計測情報に有用とされるダイエット情報を上記耳つぼ検出端末装置に送出する有用情報提供手段とを具備する管理サーバと、
上記ネットワークを介して上記耳つぼ検出端末装置及び上記管理サーバと接続し、当該管理サーバからの上記計測情報及び上記ダイエット情報を参照して上記耳つぼ検出端末装置に対して所定のサービス情報を送出するサービス情報提供手段と、上記耳つぼ検出端末装置から送出されてくる情報に対し応答情報を返信する返信手段とを具備するフォローセンター端末装置とからなることを特徴とする耳つぼダイエット管理システム。
【請求項４】
耳つぼの位置を画像表示する耳つぼ位置表示手段と、この耳つぼ位置表示手段にて表示される耳つぼの位置からダイエット用の耳つぼ位置を他の耳つぼ位置の表示とは異なるよう領域表示させる領域表示手段と、耳の皮膚表面に点接触状態で接触させる探針部を有する第一の電極手段と、この第一の電極手段と接続し上記耳の皮膚表面以外の皮膚表面に面接触状態で接触させる第二の電極手段と、上記領域表示手段にて領域表示される耳つぼ位置にて上記第一の電極手段と上記第二の電極手段との通電状態に於ける電気抵抗状況を計測する計測手段と、この計測手段による電気抵抗の計測結果を計測結果情報として記憶するとともに当該計測結果情報に関する付帯情報を記憶する計測情報記憶手段と、この計測情報記憶手段の計測結果情報を動的に画面表示する表示手段と、この表示手段の画面表示に連動可能に上記計測情報記憶手段の計測結果情報を可聴的に出力する出力手段と、上記表示手段の画面表示及び上記出力手段の可聴出力を参照して特定された耳つぼの位置情報を記憶する位置情報記憶手段と、この位置情報記憶手段の位置情報並びに上記計測情報記憶手段の計測結果情報及び付帯情報を送出する送出手段とを具備する耳つぼ検出端末装置と、
この耳つぼ検出端末装置とネットワークを介して接続し、上記送出手段から送出されてくる位置情報並びに計測結果情報及び付帯情報を計測情報として格納する計測情報格納手段と、この計測情報格納手段に格納された計測情報に有用とされるダイエット情報を上記耳つぼ検出端末装置に送出する有用情報提供手段とを具備する管理サーバと、
上記ネットワークを介して上記耳つぼ検出端末装置及び上記管理サーバに接続可能で、上記位置情報及び付帯情報を送受信可能なユーザ端末とからなる耳つぼダイエット管理システムであって、
上記管理サーバは、
上記ネットワークを介して接続してくる上記ユーザ端末を認証識別する機能及び当該ユーザ端末への課金状況を確認する機能を有し、
当該認証識別及び課金状況の確認結果に基いて、当該ユーザ端末に対して同期処理を行い、上記計測情報を送出可能となるよう構成したことを特徴とする耳つぼダイエット管理システム。
【請求項５】
耳つぼの位置を画像表示し、
この表示される耳つぼ位置からダイエット用の耳つぼ位置の表示を他の耳つぼ位置の表示とは異なるよう領域表示し、
耳の皮膚表面に点接触状態で第一の電極部を接触させ、
この第一の電極部と接続し上記耳の皮膚表面以外の皮膚表面に面接触状態で第二の電極部を接触させ、
上記領域表示される耳つぼ位置にて、上記第一の電極部と上記第二の電極部との通電状態に於ける電気抵抗状況を計測し、
この電気抵抗の計測結果を計測結果情報として記憶するとともに当該計測結果情報に関する付帯情報を記憶し、
上記計測結果情報を電気抵抗値が少なくなるにつれて大きく画面表示されるよう時系列的にグラフ表示し、
この画面表示されるグラフのピークを良導点として判定し、
上記画面表示に連動可能に上記計測結果情報を電気抵抗値が少なくなるにつれて可聴音が高くなるようまたは可聴音の間隔が短くなるよう可聴音を出力し、
上記計測結果情報及び付帯情報を通信ネットワークを介して外部へ送出可能にしたことを特徴とする耳つぼダイエット管理方法。
【請求項６】
上記ネットワークを介して送出されてくる計測結果情報及び付帯情報を計測情報として格納し、
この格納された計測情報に有用とされるダイエット情報を上記ネットワークを介して返信するようにしたことを特徴とする請求項５記載の耳つぼダイエット管理方法。
【請求項７】
上記ネットワークを介して送出されてくる上記計測情報及び上記ダイエット情報を参照して所定のサービス情報を送出し、
上記ネットワークを介して送出されてくる問合せ情報に対し応答情報を返信するようにしたことを特徴とする請求項６記載の耳つぼダイエット管理方法。
【請求項８】
ネットワークを介してアクセスしてくる端末の課金状況を確認し、
当該確認結果を参照して同期処理し、
当該確認結果を参照して選択的に耳つぼの位置を画像表示可能とし、
この表示される耳つぼ位置からダイエット用の耳つぼ位置の表示を他の耳つぼ位置の表示とは異なるよう領域表示し、
耳の皮膚表面に点接触状態で第一の電極部を接触させ、
この第一の電極部と接続し上記耳の皮膚表面以外の皮膚表面に面接触状態で第二の電極部を接触させ、
上記領域表示される耳つぼ位置にて、上記第一の電極部と上記第二の電極部との通電状態に於ける電気抵抗状況を計測し、
この電気抵抗の計測結果を計測結果情報として記憶するとともに当該計測結果情報に関する付帯情報を記憶し、
上記計測結果情報を電気抵抗値が少なくなるにつれて大きく画面表示されるよう時系列的にグラフ表示し、
この画面表示されるグラフのピークを良導点として判定し、
この良導点を良導点情報として記憶し、
上記画面表示に連動可能に上記計測結果情報を電気抵抗値が少なくなるにつれて可聴音が高くなるようまたは可聴音の間隔が短くなるよう可聴音を出力し、
上記良導点並びに上記計測結果情報及び付帯情報を通信ネットワークを介して外部へ送出可能にしたことを特徴とする耳つぼダイエット管理方法。
【発明の詳細な説明】
【技術分野】
【０００１】
本発明は、電気抵抗値の大きさからダイエット用の耳つぼを簡単に見つけ出かことが可能でダイエット管理に有用な耳つぼ検出端末装置及び耳つぼダイエット管理システム並びに耳つぼダイエット管理方法、特に特殊な技能を有することなく誰でも容易且つ迅速にダイエット用の耳つぼを見つけ出すことが可能でダイエット管理に有用な耳つぼ検出端末装置及び耳つぼダイエット管理システム並びに耳つぼダイエット管理方法に関する。
【背景技術】
【０００２】
従来、人体にはつぼ（経穴）と称される場所が多数存在しており、夫々のつぼは例えば内臓や神経、感覚器他と密接な関係があり、指圧や鍼灸治療等の対象とされてきた。つぼは０．５ｍｍ程度の大きさと言われており、その位置は性別、個人差、季節、時間によって微妙に変化するものである。このため、つぼの正確な位置を迅速に見つけ出すことは熟練者であっても容易なことではなく、一般の人にとっては略不可能に近いものである。
近時、特定のつぼを刺激することによりダイエット効果が期待できる、という事実が注目を集めている。特に、特定の耳つぼを刺激することによるダイエット効果が注目を集めている。これは迷走神経が分布している耳甲介腔部のつぼを刺激することにより、迷走神経の亢進状態を抑圧して食欲を減退させたり、視床下部の食欲中枢に作用して同様の効果を期待できることに起因するものと考えられている。
しかしながら、前述したようにつぼは０．５ｍｍ程度の大きさで、その位置は性別、個人差、季節、時間によって微妙に変化するので、正確な位置を検出することは容易ではないものである。
【０００３】
特許第３１１０６４１号公報（特許文献１）には、電気抵抗値の低さからつぼの位置（探査点）を見つけ出し、その探査点で自動的にモータ駆動による振動で刺激を所定時間与えるつぼ探査機能を備えた指圧器が開示されている。この特許文献１に開示されたものは、肩や首筋、背中等のこりをほぐしたり、マッサージに応用される指圧器に係るものである。
【０００４】
また、特開２００１−２１２２０３号公報（特許文献２）には、人体の経絡中に存在するつぼの位置を検出するためのつぼ検出装置が開示されている。この特許文献２に開示されたものは、人体の電気的な抵抗値を検出し、この検出された抵抗値の大小を判別することにより、つぼの位置をスピーカ出力または発光ダイオードを発光させて知らせるよう構成されている。
【０００５】
さらに、実開平７−１３３３５号公報（特許文献３）には、電気抵抗値をメータ表示することにより耳つぼを検出するようにした耳介用電子温灸器が開示されている。そして、この特許文献３に開示されたものは、検出したつぼに探索導子部の先端を発熱させて温熱刺激を加えることを可能としたものである。
【０００６】
さらに、下記非特許文献１のような皮膚の電気抵抗値の大きさにより身体のつぼの位置を音とランプで報知する商品も提供されている。
【先行技術文献】
【特許文献】
【０００７】
【特許文献１】特許第３１１０６４１号公報
【特許文献２】特開２００１−２１２２０３号公報
【特許文献３】実開平７−１３３３５号公報
【非特許文献】
【０００８】
【非特許文献１】ｈｔｔｐ：／／ｗｗｗ．ｎｅｔ−ｋａｋａｋｕ．ｃｏｍ／２３＿６５４．ｈｔｍｌ
【発明の開示】
【発明が解決しようとする課題】
【０００９】
近時、特定の耳つぼを刺激することによるダイエット効果が注目を集めている。特に、鍼や灸を用いることなく、例えば中央部位にチタン粒を有する円形状または四角形状のシール（耳つぼシール）を当該チタン粒が耳つぼを押圧するような位置に貼ることによるダイエットが手軽感もあり普及しつつある。しかしながら、つぼは０．５ｍｍ程度の大きさで、その位置は性別、個人差、季節、時間によって微妙に変化するので、一般の人が正確な位置を素早く検出することは、略不可能である。しかも、ダイエットには、ある程度の時間経過と減量状況、専門的な知識や例えば普段の食生活状況の記録等の管理も必要不可欠である。
【００１０】
特許文献１に開示されたものは、肩や首筋、背中等のこりをほぐしたり、マッサージに応用される指圧器であり、耳つぼを見つけ出すことには不向きである。また、耳つぼを見つけ出すという技術思想は全く開示されておらず示唆もされていない。しかも安全面での問題も生じるものである。加えて、ダイエット管理に関する思想は、全く開示されておらず示唆すらされていない。
【００１１】
特許文献２に開示されるものは、人体の経絡中に存在するつぼの位置をスピーカ出力または発光ダイオードを発光させて知らせるつぼ検出装置である。これは、特許文献１と同様、耳つぼを見つけ出すことには不向きであり、耳つぼを見つけ出すという技術思想は全く開示されておらず示唆もされていないし、安全面での問題も生じるものである。同様に、ダイエット管理に関する思想は、全く開示されておらず示唆すらされていない。
【００１２】
特許文献３に開示されたものは、電気抵抗値をメータ表示することにより耳つぼを検出し、検出したつぼに探索導子部の先端を発熱させて温熱刺激を加えることを可能とした耳介用電子温灸器である。このものにあっては、つぼを見つけ出すことは可能ではあるが、そのつぼが本来探しているものであるのか、或いはそのつぼが何のためのものなのかは、操作者がある程度つぼの位置を事前に知識として蓄えておく必要がある。また、前述同様、ダイエット管理に関する思想は全く開示されておらず、示唆すらされていない。
【００１３】
非特許文献１に開示された皮膚の電気抵抗値の大きさにより身体のつぼの位置を音とランプで報知する商品は、前述同様、やはり操作者がある程度つぼの位置を事前に知識として蓄えておくことが前提となる。また、このものにあっては、ダイエット管理に関する思想は全く開示されておらず、示唆すらされていない。
【００１４】
本発明は、上記事情を考慮してなされたもので、上述した不具合を解消し、誰でも容易且つ迅速にダイエット用の耳つぼを見つけ出すことが可能で、有用なダイエット管理が行える耳つぼ検出端末装置及び耳つぼダイエット管理システム並びに耳つぼダイエット管理方法を提供することを目的とする。
また、本発明は、耳つぼへの施術履歴情報及び関連する情報を容易に管理が可能な耳つぼ検出端末装置及び耳つぼダイエット管理システム並びに耳つぼダイエット管理方法を提供することを目的とする。
【課題を解決するための手段】
【００１５】
本発明は、上記目的を達成するために以下の通りの構成とすることを特徴とする。
【００１６】
（１）  ウェブブラウザ機能を有し通信ネットワークを介して各種情報を送受信する耳つぼ検出端末装置であって、耳つぼの位置を画像表示する耳つぼ位置表示手段と、この耳つぼ位置表示手段にて表示される耳つぼの位置からダイエット用の耳つぼ位置を他の耳つぼ位置の表示とは異なるよう領域表示させる領域表示手段と、耳の皮膚表面に点接触状態で接触させる探針部を有する第一の電極手段と、この第一の電極手段と接続し上記耳の皮膚表面以外の皮膚表面に面接触状態で接触させる第二の電極手段と、上記領域表示手段にて領域表示される耳つぼ位置にて上記第一の電極手段と上記第二の電極手段との通電状態に於ける電気抵抗の状況を計測する計測手段と、この計測手段による電気抵抗の計測結果を計測結果情報として記憶するとともに当該計測結果情報に関する付帯情報を記憶する計測情報記憶手段と、この計測情報記憶手段の計測結果情報を動的に画面表示する表示手段と、この表示手段の画面表示に連動可能に上記計測情報記憶手段の計測結果情報を可変的に可聴出力する出力手段と、上記計測情報記憶手段の計測結果情報及び付帯情報を上記通信ネットワークを介して外部へ送出する送出手段とを具備した構成としたことを特徴とする。
【００１７】
（２）  上記（１）の構成にあって、上記表示手段は上記計測情報記憶手段の計測結果情報を電気抵抗値が少なくなるにつれて大きく表示されるよう時系列的にグラフ表示する機能を有し、上記出力手段は上記計測情報記憶手段の計測結果情報を電気抵抗値が少なくなるにつれて可聴音が高くなるようまたは可聴音の間隔が短くなるよう出力する機能を有し、上記表示手段に表示されるグラフのピークを良導点として判定する判定手段を設けた構成としたことを特徴とする。
【００１８】
（３）  耳つぼダイエット管理システムであって、
耳つぼの位置を画像表示する耳つぼ位置表示手段と、この耳つぼ位置表示手段にて表示される耳つぼ位置からダイエット用の耳つぼ位置の表示を他の耳つぼ位置の表示とは異なるよう領域表示させる領域表示手段と、耳の皮膚表面に点接触状態で接触させる探針部を有する第一の電極手段と、この第一の電極手段と接続し上記耳の皮膚表面以外の皮膚表面に面接触状態で接触させる第二の電極手段と、上記領域表示手段にて領域表示される耳つぼ位置にて上記第一の電極手段と上記第二の電極手段との通電状態に於ける電気抵抗状況を計測する計測手段と、この計測手段による電気抵抗の計測結果を計測結果情報として記憶するとともに当該計測結果情報に関する付帯情報を記憶する計測情報記憶手段と、この計測情報記憶手段の計測結果情報を動的に画面表示する表示手段と、この表示手段の画面表示に連動可能に上記計測情報記憶手段の計測結果情報を可変的に可聴出力する出力手段と、上記計測情報記憶手段の計測結果情報及び付帯情報を送出する送出手段とを具備する耳つぼ検出端末装置と、
この耳つぼ検出端末装置とネットワークを介して接続し、上記送出手段から送出されてくる計測結果情報及び付帯情報を計測情報として格納する計測情報格納手段と、この計測情報格納手段に格納された計測情報に有用とされるダイエット情報を上記耳つぼ検出端末装置に送出する有用情報提供手段とを具備する管理サーバと、
上記ネットワークを介して上記耳つぼ検出端末装置及び上記管理サーバと接続し、当該管理サーバからの上記計測情報及び上記ダイエット情報を参照して上記耳つぼ検出端末装置に対して所定のサービス情報を送出するサービス情報提供手段と、上記耳つぼ検出端末装置から送出されてくる情報に対し応答情報を返信する返信手段とを具備するフォローセンター端末装置とからなる構成としたことを特徴とする。
【００１９】
（４）  耳つぼダイエット管理システムであって、
耳つぼの位置を画像表示する耳つぼ位置表示手段と、この耳つぼ位置表示手段にて表示される耳つぼの位置からダイエット用の耳つぼ位置を他の耳つぼ位置の表示とは異なるよう領域表示させる領域表示手段と、耳の皮膚表面に点接触状態で接触させる探針部を有する第一の電極手段と、この第一の電極手段と接続し上記耳の皮膚表面以外の皮膚表面に面接触状態で接触させる第二の電極手段と、上記領域表示手段にて領域表示される耳つぼ位置にて上記第一の電極手段と上記第二の電極手段との通電状態に於ける電気抵抗状況を計測する計測手段と、この計測手段による電気抵抗の計測結果を計測結果情報として記憶するとともに当該計測結果情報に関する付帯情報を記憶する計測情報記憶手段と、この計測情報記憶手段の計測結果情報を動的に画面表示する表示手段と、この表示手段の画面表示に連動可能に上記計測情報記憶手段の計測結果情報を可聴的に出力する出力手段と、上記表示手段の画面表示及び上記出力手段の可聴出力を参照して特定された耳つぼの位置情報を記憶する位置情報記憶手段と、この位置情報記憶手段の位置情報並びに上記計測情報記憶手段の計測結果情報及び付帯情報を送出する送出手段とを具備する耳つぼ検出端末装置と、
この耳つぼ検出端末装置とネットワークを介して接続し、上記送出手段から送出されてくる位置情報並びに計測結果情報及び付帯情報を計測情報として格納する計測情報格納手段と、この計測情報格納手段に格納された計測情報に有用とされるダイエット情報を上記耳つぼ検出端末装置に送出する有用情報提供手段とを具備する管理サーバと、
上記ネットワークを介して上記耳つぼ検出端末装置及び上記管理サーバに接続可能で、上記位置情報及び付帯情報を送受信可能なユーザ端末とを有し、上記管理サーバは、上記ネットワークを介して接続してくる上記ユーザ端末を認証識別する機能及び当該ユーザ端末への課金状況を確認する機能を有し、当該認証識別及び課金状況の確認結果に基いて当該ユーザ端末に対して同期処理を行い上記計測情報を送出可能となるよう構成したことを特徴とする。
【００２０】
（５）  耳つぼダイエット管理方法であって、
耳つぼの位置を画像表示し、この表示される耳つぼ位置からダイエット用の耳つぼ位置を他の耳つぼ位置の表示とは異なるよう領域表示し、耳の皮膚表面に点接触状態で第一の電極部を接触させ、この第一の電極部と接続し上記耳の皮膚表面以外の皮膚表面に面接触状態で第二の電極部を接触させ、上記領域表示される耳つぼ位置にて上記第一の電極部と上記第二の電極部との通電状態に於ける電気抵抗状況を計測し、この電気抵抗の計測結果を計測結果情報として記憶するとともに当該計測結果情報に関する付帯情報を記憶し、上記計測結果情報を電気抵抗値が少なくなるにつれて大きく画面表示されるよう時系列的にグラフ表示し、この画面表示されるグラフのピークを良導点として判定し、上記画面表示に連動可能に上記計測結果情報を電気抵抗値が少なくなるにつれて可聴音が高くなるようまたは可聴音の間隔が短くなるよう可聴音を出力し、上記計測結果情報及び付帯情報を通信ネットワークを介して外部へ送出可能となるよう構成したことを特徴とする。
【００２１】
（６）  上記（５）の構成にあって、上記ネットワークを介して送出されてくる計測結果情報及び付帯情報を計測情報として格納し、この格納された計測情報に有用とされるダイエット情報を上記ネットワークを介して返信するよう構成したことを特徴とする。
【００２２】
（７）  上記（６）の構成にあって、上記ネットワークを介して送出されてくる上記計測情報及び上記ダイエット情報を参照して所定のサービス情報を送出し、上記ネットワークを介して送出されてくる問合せ情報に対し応答情報を返信するようにした構成としたことを特徴とする。
【００２３】
（８）  耳つぼダイエット管理方法であって、
ネットワークを介してアクセスしてくる端末の課金状況を確認し、当該確認結果を参照して同期処理し、当該確認結果を参照して選択的に耳つぼの位置を画像表示可能とし、この表示される耳つぼ位置からダイエット用の耳つぼ位置の表示を他の耳つぼ位置の表示とは異なるよう領域表示し、耳の皮膚表面に点接触状態で第一の電極部を接触させ、この第一の電極部と接続し上記耳の皮膚表面以外の皮膚表面に面接触状態で第二の電極部を接触させ、上記領域表示される耳つぼ位置にて上記第一の電極部と上記第二の電極部との通電状態に於ける電気抵抗状況を計測し、この電気抵抗の計測結果を計測結果情報として記憶するとともに当該計測結果情報に関する付帯情報を記憶し、上記計測結果情報を電気抵抗値が少なくなるにつれて大きく画面表示されるよう時系列的にグラフ表示し、この画面表示されるグラフのピークを良導点として判定し、この良導点を良導点情報として記憶し、上記画面表示に連動可能に上記計測結果情報を電気抵抗値が少なくなるにつれて可聴音が高くなるようまたは可聴音の間隔が短くなるよう可聴音を出力し、上記良導点並びに上記計測結果情報及び付帯情報を通信ネットワークを介して外部へ送出可能にしたことを特徴とする。
【００２４】
上記構成によれば、表示画面に領域表示される耳つぼ位置にて探索していけば、視覚的及び聴覚的にダイエット用の耳つぼの位置を適切に検出できるものである。しかも、熟練者でなくても誰でも簡単に耳つぼを迅速に見つけ出すことが可能となるものである。
また、上記構成によれば、ダイエット用の耳つぼの検出だけではなく、個別の記録管理が行われるとともに、適宜個別のダイエット関連の有用な情報提供及びサービス情報の提供が行え、以って、耳つぼダイエットが継続的且つ効果的に行われることが期待できる。
【発明の効果】
【００２５】
本発明によれば、誰でも簡単且つ正確にダイエット用の耳つぼを迅速に見つけ出すことが可能となるものである。しかもダイエットに関する記録も自動的に行われるので、実用的且つ便利なものである。
また、本発明によれば、ダイエット関連の有用な情報提供及びサービス情報の提供が行われるので、継続的なダイエットを期待できるものである。
さらに、本発明によれば、容易につぼへの施術履歴情報の管理が可能となるので、極めて実用的且つ有用なものである。
【図面の簡単な説明】
【００２６】
【図１】本発明の一実施形態に係わる耳つぼダイエット管理システムの全体構成を概念的に示す図である。
【図２】同実施形態に係わり、検出端末装置の概略構成を示す図である。
【図３】同実施形態に係わり、検出端末装置の概観構成を示す図である。
【図４】同実施形態に係わり、管理サーバの概略構成を示す図である。
【図５】同実施形態に係わり、耳つぼダイエット管理の処理の流れを示す図である。
【図６】同実施形態に係わり、ダイエット用耳つぼ検出処理の流れを示す図である。
【図７】同実施形態に係わり、検出端末装置に於けるメニューの画面表示を模式的に示す図である。
【図８】同実施形態に係わり、検出端末装置に於けるダイエット用耳つぼ領域をガイドする画面表示を模式的に示す図である。
【図９】同実施形態に係わり、検出端末装置に於けるダイエット用耳つぼの検出状況の画面表示を模式的に示す図である。
【図１０】同実施形態に係わり、ダイエット情報提供処理の流れを示す図である。
【図１１】同実施形態に係わり、サービス情報の提供及び問合せ対応処理の流れを示す図である。
【図１２】同実施形態に係わる変形例に於ける耳つぼダイエット管理システムの全体構成を概念的に示す図である。
【図１３】同実施形態に係わる変形例の検出端末装置に於けるダイエット用耳つぼの検出状況の画面表示を模式的に示す図である。
【図１４】本発明の他の実施形態に係わる耳つぼダイエット管理システムの全体構成を概念的に示す図である。
【図１５】同実施形態に係わり、検出端末装置の概略構成を示す図である。
【図１６】同実施形態に係わり、検出端末装置の概観構成を示す図である。
【図１７】同実施形態に係わり、管理サーバの概略構成を示す図である。
【図１８】同実施形態に係わり、新規ユーザの登録処理の流れを示す図である。
【図１９】同実施形態に係わり、同期処理の流れを示す図である。
【図２０】同実施形態に係わり、カルテの表示処理の流れを示す図である。
【図２１】同実施形態に係わり、耳つぼダイエット管理の処理の流れを示す図である。
【図２２】同実施形態に係わり、ダイエット用耳つぼ検出処理の流れを示す図である。
【図２３】同実施形態に係わり、検出端末装置に於けるメニューの画面表示を模式的に示す図である。
【図２４】同実施形態に係わり、検出端末装置に於けるダイエット用耳つぼ領域をガイドする画面表示を模式的に示す図である。
【図２５】同実施形態に係わり、検出端末装置に於けるダイエット用耳つぼの検出状況の画面表示を模式的に示す図である。
【図２６】同実施形態に係わり、ダイエット情報提供処理の流れを示す図である。
【図２７】同実施形態に係わり、サービス情報の提供及び問合せ対応処理の流れを示す図である。
【発明を実施するための形態】
【００２７】
以下本発明の一実施形態につき、図面を参照して説明する。
【００２８】
本実施形態に係る耳つぼダイエット管理システム１０は、図１に示すようにウェブブラウザ機能を有する検出端末装置１００と、この検出端末装置１００と通信ネットワーク２００を介して接続するクラウド型のサーバコンピュータである管理サーバ３００及びフォローセンター端末装置４００とから構成される。通信ネットワーク２００を介しての検出端末装置１００、管理サーバ３００及びフォローセンター端末装置４００との通信は、セキュリティ対策としてＩＥＴＦのＴＬＳ通信（例えばＳＳＬ通信）にて情報の送受信が行われる。
【００２９】
検出端末装置１００は、ダイエット用の耳つぼを検出するためのものであり、図２に示すように、制御処理部１１０、入力部１２０、出力部１３０、検出部１４０及び記憶部１５０とから構成され、夫々が信号線１６０を介して接続されている。この検出端末装置１００は、その外観は図３に示すように、制御処理部１１０、入力部１２０、出力部１３０及び記憶部１５０を内設するウェブブラウザ機能を有するスマートフォン１０２と、このスマートフォン１０２と信号線１６０が内設されたケーブル１０４にて接続される検出部１４０とから構成される。
【００３０】
制御処理部１１０は、記憶部１５０に格納された所定のプログラム情報を参照して検出端末装置１００全体の制御処理を司る機能を有する。また、制御処理部１１０は、検出端末装置１００内の情報を出力部１３０を介して外部へ出力させたり、外部から送出されてくる情報を必要に応じて入力部１２０を介して受信し、記憶部１５０に格納させたりする機能を有する。さらに、制御処理部１１０は、後述する検出部１４０からの計測結果情報をもとにダイエット用の耳つぼ位置を視覚的及び聴覚的に特定させるための機能を有する。
【００３１】
入力部１２０は、制御処理部１１０の管理下で、出力部１３０としての表示出力機能を担う液晶表示装置の表示画面上に設けられた透明のタッチパネルによるタッチ入力による入力情報を記憶部１５０に格納する機能を有する。また、入力部１２０は、制御処理部１１０の管理下で、外部から送出されてくる情報を受信し、記憶部１５０に格納する機能を有する。
【００３２】
出力部１３０は、制御処理部１１０の管理下で、各種情報を液晶表示装置に表示出力したり、音声やビープ音等の可聴音を出力する機能を有する。即ち、出力部１３０は、後述する計測結果情報や付帯情報を動的に表示出力したり可変的に可聴出力する機能を有する。また、出力部１３０は、制御処理部１１０の管理下で、記憶部１５０に格納された耳つぼダイエット管理に関するメニューや計測状態等の各種コンテンツを出力する機能や、入力部１２０を介して外部から送出されてくる情報を出力する機能を有する。
【００３３】
検出部１４０は、第一の電極部１４２、第二の電極部１４４及び計測部１４６とから構成され、皮膚表面の電気抵抗値の違いから、即ち電気抵抗値の小ささまたは低さからつぼを検出する機能を有する。而して、第一の電極部１４２は、耳の皮膚表面に点接触状態で接触させるプローブ状の探針部１４２ａを有する。第二の電極部１４４は、第一の電極部１４２と電気的に接続され、耳の皮膚表面以外の人体の皮膚表面に面接触状態で接触させるための金属製のプレート１４４ａを有する。そして、計測部１４６は、第一の電極部１４２と第二の電極部１４４との通電状態に於ける電気抵抗値の大きさを計測し、計測結果を記憶部１５０に格納する機能を有する。
なお、第二の電極部１４４は金属製のプレートとしてあるが、プレート形状に限定される訳ではなく、皮膚表面に面接触状態で接触するような構成であれば何でもよく、例えば腕輪状のような形状を呈するものや把手し易い円筒状のものでもよいものである。
【００３４】
記憶部１５０はリード／ライト可能なメモリであり、制御処理部１１０が各種制御処理・管理をするために参照するプログラム情報を格納するプログラム情報記憶領域１５０ａ、各種コンテンツ情報を格納しておくためのコンテンツ情報記憶領域１５０ｂ、各種作業を行うための作業領域１５０ｃ、検出部１４０による計測結果の情報を格納する計測結果情報記憶領域１５０ｄ及び当該計測結果の情報に関連する付帯情報を格納する付帯情報記憶領域１５０ｅ等の記憶領域が設けられている。
ここで、プログラム情報記憶領域１５０ａには、検出部１４０による計測結果情報に基いた例えば図９に示すような棒グラフ、測定メータ及びダイエット用耳つぼ位置を示すことになるピーク値（良導点）を作成し動的に表示出力するためのグラフ描画プログラム情報や、可変的なビープ音を作成しスピーカ出力するためのビープ音作成プログラム情報も格納されている。この格納されたプログラム情報を制御処理部１１０が参照して、耳つぼ検出時に、計測される電気抵抗値が低くなればなるほど背の高い棒グラフにて出力部１３０に表示出力されるともに、メータの針の振りが大きくなるよう出力部１３０に表示出力されるものである。また、計測される抵抗値は、その抵抗値が低くなればなるほど音が高く且つ発振間隔が短いビープ音にて出力されることになる。なお、抵抗値の状況をグラフ表示及びメータ表示する画面には、電気抵抗値が最も低くなると想定したピーク値１１００、ピーク領域１１６０が表示出力されるようプログラムされている。即ち、被検出者毎にダイエット用耳つぼ領域で事前に測定された電気抵抗値によりピーク値１１００、ピーク領域１１６０が作成され、表示出力されるようプログラムされている。或いは、男女別・年齢別に予め統計処理された標準的な良導点データをピーク値として用いてもよいものである。
コンテンツ情報記憶領域１５０ｂには、「カルテ」１０１０、「耳つぼダイエット」１０２０、「経穴」１０３０及び「問合せ」１０４０のアイコンが表示されるメニュー画面の情報（図７参照）や、耳つぼの位置を示す画面情報（図８参照）等が格納されている。
また、付帯情報記憶領域１５０ｅに格納される付帯情報は、例えば計測日時や被検出者（耳つぼダイエットのサービス提供を受ける者）の個人情報等である。なお、この付帯情報には、被検出者の性別、年齢、連絡先、体重や身長の情報、摂取した食事やカロリーの情報及び施術した耳つぼ位置の情報を含むものである。
【００３５】
管理サーバ３００は、クラウド型のサーバコンピュータで、制御処理部３１０、入力部３２０、出力部３３０、記憶部３４０、利用者情報管理部３５０及びコンテンツ情報管理部３６０を内設し、夫々が信号線３７０を介して接続されている。そして、管理サーバ３００は、通信ネットワーク２００を介して検出端末装置１００から送出されてくる計測結果情報及び付帯情報等を受信し、当該情報に対して有用とされる情報を選出して検出端末装置１００に送出する機能を有する。
【００３６】
制御処理部３１０は、記憶部３４０に格納された所定のプログラム情報を参照してシステム全体の制御処理を司る機能を有する。また、制御処理部３１０は、検出端末装置１００から送出されてくる情報を入力部３２０を介して受信し、当該情報に対して有用と判断する情報を出力部３３０を介して検出端末装置１００に送出する機能を有する。
【００３７】
入力部３２０は、制御処理部３１０の管理下で、外部から送出されてくる情報を受信し記憶部３４０に格納する機能を有する。また、入力部３２０は、制御処理部３１０の管理下で、内設するキーボード等からのキー入力による入力情報を記憶部３４０に格納する機能を有する。
【００３８】
出力部３３０は、制御処理部３１０の管理下で、各種情報を表示出力したり音声出力等する機能を有する。また、出力部３３０は、制御処理部３１０の管理下で、各種情報を通信ネットワーク２００を介して外部へ送出する機能を有する。
【００３９】
記憶部３４０はリード／ライト可能なメモリである。記憶部３４０は、制御処理部３１０が各種制御処理・管理をするために参照するプログラム情報を格納するプログラム情報記憶領域３４０ａ、各種コンテンツ情報を格納しておくためのコンテンツ情報記憶領域３４０ｂ、各種作業を行うための作業領域３４０ｃ、検出端末装置１００から送出されてくる計測結果情報及び付帯情報を計測情報として格納する計測情報記憶領域３４０ｄ、ダイエット管理に有用とされるダイエット情報が格納されるダイエット情報記憶領域３４０ｅ、計測情報とダイエット情報を所定の規則に従って対応付けられたテーブル情報が格納されるテーブル情報記憶領域３４０ｆ及び耳つぼダイエット利用者の個人情報や予約情報及び施術履歴情報等を格納する利用者情報記憶領域３４０ｇ等の記憶領域を有する。
【００４０】
利用者情報管理部３５０は、制御処理部３１０の管理下で、入力されてくる耳つぼダイエット利用者に関する個人情報や予約情報及び施術履歴情報等を利用者情報記憶領域３４０ｇに格納する機能を有する。また、利用者情報管理部３５０は、制御処理部３１０の管理下で、利用者情報記憶領域３４０ｇに格納される情報を参照・選出して送出する機能を有する。
【００４１】
コンテンツ情報管理部３６０は、制御処理部３１０の管理下で、ダイエット管理に関するダイエット情報をダイエット情報記憶領域３４０ｅに格納する機能を有する。また、コンテンツ情報管理部３６０は、制御処理部３１０の管理下で、テーブル情報記憶領域３４０ｆを参照してダイエット情報記憶領域３４０ｅのダイエット管理に関する所望の情報を選出する機能を有する。
【００４２】
フォローセンター端末装置４００は、当該端末装置４００全体の制御処理を司る機能を有する制御部４１０、制御部４１０の管理下で内設するキーボードから各種情報をキー入力等したり通信ネットワーク２００を介して送出されてくる各種情報を受信する機能を有する入力部４２０、制御部４１０の管理下で各種情報を表示出力したり音声出力等したり各種情報を通信ネットワーク２００を介して外部へ送出する機能を有する出力部４３０及びプログラム情報他各種情報をリード／ライト可能に格納する記憶部４４０とから構成される。このフォローセンター端末装置４００は、管理サーバ３００からの計測情報やダイエット情報を参照して検出端末装置１００に対して特定のサービス情報を送出する機能を有する。
【００４３】
また、フォローセンター端末装置４００は、検出端末装置１００から送出されてくる情報に対し応答情報を返信する機能を有する。例えば、検出端末装置１００から送出されてくる専門的な質問情報に対し、制御部４１０は当該質問情報に対応する応答情報を記憶部４４０を参照して該当する情報を選出して検出端末装置１００に返信し、或いは入力部４２０を介して入力される回答情報を応答情報として検出端末装置１００に返信する機能を有する。
【００４４】
上記構成につき、その作用を以下に図を参照して説明する。
【００４５】
ダイエット用の耳つぼを検出するには、先ず検出端末装置１００の出力部１３０に耳つぼダイエット管理のメニュー画面を表示させる（図５のステップＳ１００、図７参照）。このメニュー画面では「カルテ」１０１０、「耳つぼダイエット」１０２０、「経穴」１０３０及び「問合せ」１０４０のアイコンが表示されるので、表記「耳つぼダイエット」のアイコンをタッチすることにより（ステップＳ２００のＹ）、ダイエット用耳つぼ検出作業の準備に移行する（ステップＳ３００）。
【００４６】
すると、耳つぼの位置が示された耳の画像が出力部１３０に表示出力される（図８参照）。ここで、表示されるダイエット用の耳つぼ１０５０の位置は、他の耳つぼ１０６０，１０７０，１０８０，１０９０の位置が黒丸の点状にて表示されるのに対し、長方形状にある程度の領域をもって表示される。これは、異なる表示形態にすることで、求めているつぼの位置を明確にするためである。また、つぼは０．５ｍｍ程度の大きさで、その位置は性別、個人差、季節、時間によって微妙に変化するので、ある程度の領域幅をもって表示させているためである。なお、当該領域は、他と異なる色で表示してもよい。
【００４７】
而して、検出端末装置１００の利用者（検出者）は、プレート１４４ａを被検出者の手のひらで握らせることにより面接触させて検出準備が完了すると（ステップＳ３００のＹ）、利用者は探針部１４２ａを画面表示された領域１０５０に対応する被検出者の耳の皮膚表面で点接触させて検出していくことになる（ステップＳ４００）。
即ち、当該領域１０５０に相当する被検出者の耳の領域内で探針部１４２ａを皮膚表面に点接触状態で移動させて、電気抵抗値を測定していくことになる（図６のステップＳ４０２、Ｓ４０４）。計測される抵抗値は、時系列的にその抵抗値が低くなればなるほど背の高い棒グラフで出力部１３０に表示出力されるともに、これと連動して測定メータ１１２０の針１１４０の振りが大きくなるよう出力部１３０に表示出力される（図９参照）。また、計測される抵抗値は、表示出力と連動して、その抵抗値が低くなればなるほど音が高く且つ発振間隔が短いビープ音にて出力されることになる。抵抗値の状況をグラフ表示する画面には、電気抵抗値が最も低くなると事前に測定された電気抵抗値から想定したピーク値１１００（良導点）が被検出者毎に表示設定されており、このピーク値１１００に達した或いは超えた棒グラフ１１１０が被検出者のダイエット用耳つぼの位置と判断することになる（ステップＳ４０６のＹ）。同様に、針１１４０は電気抵抗値が最も低くなると想定したピーク領域１１６０に達したときに被検出者のダイエット用耳つぼの位置と判断することになる。
【００４８】
斯様にして検出されたピーク値に該当する位置にて、施術処理が行われることになる（ステップＳ５００）。例えば、当該位置にて被検出者が検出した利用者の耳つぼに耳つぼシールを貼付し、当該耳つぼを押圧することになる。或いは、探針部１４２ａを所定時間発熱するよう構成しておけば、検出した耳つぼ位置にて自動的に発熱させるようにして灸施術処理がなされるようにしてもよいものであり、その他種々の施術処理が行えることは勿論可能である。
【００４９】
また、検出された耳つぼ位置の情報は、スマートフォン１０２が有する写真撮影機能により当該耳つぼ位置の撮影写真と一緒に、検出実施の日付情報及び被検出者の個人情報及び施術位置情報とともにカルテ情報として記録されることになる（ステップＳ６００）。即ち、検出端末装置１００の記憶部１５０の計測結果情報記憶領域１５０ｄや付帯情報記憶領域１５０ｅに格納されることになる。また、通信ネットワーク２００を介して、管理サーバ３００の記憶部３４０の計測情報記憶領域３４０ｄ、テーブル情報記憶領域３４０ｆ及び利用者情報記憶領域３４０ｇに格納されることになる。
【００５０】
ダイエット用耳つぼの検出を次回も行う場合、日時の予約登録処理を行うことになる（ステップＳ７００のＹ、Ｓ８００）。この予約情報も付帯情報として付帯情報記憶領域１５０ｅに格納され、また通信ネットワーク２００を介して、管理サーバ３００の記憶部３４０のテーブル情報記憶領域３４０ｆ及び利用者情報記憶領域３４０ｇに格納されることになる。
なお、予約登録処理は、ダイエット用耳つぼ検出の一連の流れとは別に、単独で検出端末装置１００や他の端末機器から通信ネットワーク２００を介して管理サーバ３００にアクセスして行うことも可能である。
【００５１】
ところで、管理サーバ３００は、被検出者の耳つぼダイエットに有用と判断さるダイエット情報を被検出者の端末に適宜送出するものである。
【００５２】
即ち、ダイエット用の耳つぼの検出・施術時や例えば１週間後（図１０のステップＳ１０２０のＹ）、管理サーバ３００は、記憶部３４０の計測情報記憶領域３４０ｄ、テーブル情報記憶領域３４０ｆ及び利用者情報記憶領域３４０ｇを参照して（ステップＳ１０４０）、被検出者のダイエットに有用とされるダイエット情報をダイエット情報記憶領域３４０ｅから選出する（ステップＳ１０６０）。そして、選出されたダイエット情報を被検知者が係る検出端末装置１００に送出するものである（ステップＳ１０８０）。なお、ダイエット情報送出先の端末を検出端末装置１００としたが、被検出者が指定する他の端末機器でもよいことは勿論である。
【００５３】
また、フォローセンター端末装置４００は、専門的なサービス情報を定期的に被検出者の端末に送出したり、送出されてくる被検出者の質問情報に対し、専門的な回答やアドバイス等の応答情報を被検出者の端末に返信するものである。
【００５４】
即ち、フォローセンター端末装置４００は、カルテとして記録された情報を定期的に参照して被検出者にとって参考となるようなサービス情報を記憶部４４０から選出して、被検出者の端末機器（検出端末装置１００或いは被検出者指定の他の端末機器）に送出する（図１１のステップＳ１１１０）。また、フォローセンター端末装置４００は、被検出者の検出端末装置１００や他の端末機器から質問・問合せ情報が送出されてくると（ステップＳ１１２０のＹ）、フォローセンター端末装置４００は管理サーバ３００からの計測情報及びダイエット情報を参照することになる（ステップＳ１１３０）。そして、当該質問・問合せ情報に有用と判断される回答・アドバイス情報を記憶部４４０から選出して或いは入力部４２０からの入力情報を応答情報として（ステップＳ１１４０）、被検出者が係る検出端末装置１００或いは被検出者が指定する他の端末機器に送出するものである（ステップＳ１１５０）。
【００５５】
上記実施形態によれば、ダイエット用の耳つぼ検出は、表示画面に従って探索していけば、視覚的及び聴覚的に耳つぼの位置を適切に検出できるものである。しかも、熟練者でなくても誰でも簡単に耳つぼを迅速に見つけ出すことが可能となるので、便利で有用なものである。
また、ダイエット用の耳つぼの検出だけではなく、カルテによる時系列的な記録管理が行われるとともに、適宜個別のダイエット関連の有用な情報提供及びサービス情報の提供が行われるので、耳つぼダイエットが継続的且つ効果的に行われることが期待できる。
【００５６】
なお、本発明は上記実施形態に限定されるものではなく、本発明の要旨を逸脱しない限り種々の変形が可能なことは勿論である。
【００５７】
図１２は上記実施形態の変形例であり、同一構成・同一機能には同一番号を付して説明は省略する。この変形例では、管理サーバ３００とフォローセンター端末装置４００を一体的な構成とした運営管理サーバ５００とする。また、被検出者が保有する例えばブラウザ機能を有するスマートフォンや携帯電話等の端末機器（ユーザ端末）６００を、通信ネットワーク２００を介して接続するよう構成している。
而して検出端末装置１００による予約と同様、被検出者自らがユーザ端末６００から運営管理サーバ５００にアクセスし、次回のダイエット用耳つぼ検出の予約を可能となるよう構成してある。また、被検出者自らがユーザ端末６００から、摂取する食事を写真撮影し画像情報として運営管理サーバ５００へ送出したり、被検出者の体重や身長の情報を運営管理サーバ５００へ送出することが可能となるよう構成してある。なお、ユーザ端末６００から送出され運営管理サーバ５００にて管理される情報は、例えば特定の検出端末装置１００でしかアクセスできないよう構成されている。
【００５８】
この変形例における検出端末装置１００によるダイエット用耳つぼ位置の測定状況は、例えば図１３に示すようなグラフ形態で表示させてもよいものである。即ち、探針部１４２ａを耳の皮膚表面に点接触状態で移動させて電気抵抗値を測定していくと、計測される抵抗値は、その抵抗値が低くなればなるほどキャラクター・マーク１３１０の数が増えて棒グラフ状に出力部１３０に表示出力されるともに、これと連動して測定メータ１３２０の矢印状のメータ針１３４０の延びが大きくなるよう出力部１３０に表示出力されるよう構成されている。また、計測される抵抗値は、表示出力と連動して、その抵抗値が低くなればなるほど音が高く且つ発振間隔が短いビープ音にて出力されるよう構成されている。そして、抵抗値の状況をグラフ表示する画面には、電気抵抗値が最も低くなると事前に測定された電気抵抗値から想定したピーク値１３００（良導点）が表示設定されており、このピーク値１３００に達した或いは超えたキャラクター・マークが被検出者のダイエット用耳つぼの位置と判断することになる。同様に、メータ針１３４０は電気抵抗値が最も低くなると想定したピーク領域１３６０に達したときに被検出者のダイエット用耳つぼの位置と判断することになる。
【００５９】
なお、グラフ表示形態は、予め幾つか用意されているグラフから検出端末装置１００の利用者が任意のものを選択設定できるようにしたり、或いは独自に作成したものを設定可能とするよう構成してもよいものである。また、グラフ表示と連動して発生する可聴音については、音質、音量及び発生間隔を任意に調整可能となるよう構成してもよいものである。或いは、好みのメロディーで可聴出力できるよう構成してもよい。
【００６０】
上記実施形態及び変形例では、最初に画面表示されるメニュー画面からアイコン「耳つぼダイエット」１０２０（図７参照）を選択することにより、耳つぼダイエットの検出処理の流れが開始されている。しかし、第一の電極部１４２及び第二の電極部１４４が検出部１４０に接続されると、或いはスマートフォン１０２から特別なコマンドを入力すると、自動的に耳つぼダイエット検出画面が起動するよう構成してもよいものである。
本発明はその要旨を逸脱しない限り種々の変形が可能である。
【００６１】
以下に本発明の他の実施形態について、図面を参照して説明する。なお、前述の一実施形態と同一部分、同一機能については、一部につき同一符号を用いて説明する。
【００６２】
本実施形態に係る耳つぼダイエット管理システム２０は、図１４に示すようにウェブブラウザ機能を有する検出端末装置７００と、この検出端末装置７００と通信ネットワーク２００を介して接続するクラウド型のサーバコンピュータである管理サーバ８００及びユーザ端末９００とから構成される。通信ネットワーク２００を介しての検出端末装置７００、管理サーバ８００及びユーザ端末９００との通信は、セキュリティ対策としてＩＥＴＦのＴＬＳ通信（例えばＳＳＬ通信）にて情報の送受信が行われる。
【００６３】
検出端末装置７００は、ダイエット用の耳つぼを検出するためのものであり、そのためのアプリケーションソフトウェアがインストールされており、図１５に示すように、制御処理部７１０、入力部７２０、出力部７３０、検出部７４０及び記憶部７５０とから構成され、夫々が信号線７６０を介して接続されている。この検出端末装置７００は、その外観は図１６に示すように、制御処理部７１０、入力部７２０、出力部７３０及び記憶部７５０を内設するウェブブラウザ機能と写真撮影機能を有するスマートフォン７０２と、このスマートフォン７０２と信号線７６０の一部を担う短距離無線通信回線（例えば、「Ｂｌｕｅｔｏｏｔｈ」（登録商標））にて接続される検出部７４０とから構成される。
【００６４】
制御処理部７１０は、記憶部７５０に格納された所定のプログラム情報を参照して検出端末装置７００全体の制御処理を司る機能を有する。また、制御処理部７１０は、検出端末装置７００内の情報を出力部７３０を介して外部へ出力させたり、外部から送出されてくる情報を必要に応じて入力部７２０を介して受信し、記憶部７５０に格納させたりする機能を有する。さらに、制御処理部７１０は、検出部７４０からの計測結果情報をもとにダイエット用の耳つぼ位置を視覚的及び聴覚的に特定させるための機能を有する。
さらに、制御処理部７１０は、新規ユーザの登録処理支援機能やカルテ情報をユーザに提供する機能を有する。
【００６５】
入力部７２０は、制御処理部７１０の管理下で、出力部７３０としての表示出力機能を担う液晶表示装置の表示画面上に設けられた透明のタッチパネルによるタッチ入力による入力情報を記憶部７５０に格納する機能を有する。また、入力部７２０は、制御処理部７１０の管理下で、外部から送出されてくる情報を受信し、記憶部７５０に格納する機能を有する。
【００６６】
出力部７３０は、制御処理部７１０の管理下で、各種情報を液晶表示装置に表示出力したり、音声やビープ音等の可聴音を出力する機能を有する。即ち、出力部７３０は、後述する計測結果情報や付帯情報を動的に表示出力したり可変的に可聴出力する機能を有する。また、出力部７３０は、制御処理部７１０の管理下で、記憶部７５０に格納された耳つぼダイエット管理に関するメニューや計測状態等の各種コンテンツを出力する機能、入力部７２０を介して外部から送出されてくる情報を出力する機能を有する。
【００６７】
検出部７４０は、第一の電極部７４２、第二の電極部７４４及び計測部７４６とから構成され、皮膚表面の電気抵抗値の違いから、即ち電気抵抗値の小ささまたは低さからつぼを検出する機能を有する。而して、第一の電極部７４２は、耳の皮膚表面に点接触状態で接触させるプローブ状の探針部７４２ａを有する。第二の電極部７４４は、第一の電極部７４２と電気的に接続され、耳の皮膚表面以外の人体の皮膚表面に面接触状態で接触させるための金属製の円筒状の把手部７４４ａを有する。そして、計測部７４６は、第一の電極部７４２と第二の電極部７４４との通電状態に於ける電気抵抗値の大きさを計測し、計測結果を記憶部７５０に格納する機能を有する。
なお、第二の電極部７４４は金属製の円筒状の把手部としてあるが、筒型の形状に限定される訳ではなく、皮膚表面に面接触状態にて接触するような構成であれば何でもよいものである。
【００６８】
記憶部７５０はリード／ライト可能なメモリであり、制御処理部７１０が各種制御処理・管理をするために参照するプログラム情報を格納するプログラム情報記憶領域７５０ａ、各種コンテンツ情報を格納しておくためのコンテンツ情報記憶領域７５０ｂ、各種作業を行うための作業領域７５０ｃ、検出部７４０による計測結果の情報を格納する計測結果情報記憶領域７５０ｄ及び当該計測結果の情報に関連する付帯情報を格納する付帯情報記憶領域７５０ｅ等の記憶領域が設けられている。
【００６９】
ここで、プログラム情報記憶領域７５０ａには、検出部７４０による計測結果情報に基いた例えば図２５に示すような棒グラフ、測定メータ及びダイエット用耳つぼ位置を示すことになるピーク値（良導点）を作成し動的に表示出力するためのグラフ描画プログラム情報や、可変的なビープ音を作成しスピーカ出力するためのビープ音作成プログラム情報も格納されている。この格納されたプログラム情報を制御処理部７１０が参照して、耳つぼ検出時に、計測される電気抵抗値が低くなればなるほど背の高い棒グラフにて出力部７３０に表示出力されるともに、メータの針の振りが大きくなるよう出力部７３０に表示出力されるものである。また、計測される抵抗値は、その抵抗値が低くなればなるほど音が高く且つ発振間隔が短いビープ音にて出力されることになる。なお、抵抗値の状況をグラフ表示及びメータ表示する画面には、電気抵抗値が最も低くなると想定したピーク値３１００、ピーク領域３１６０が表示出力されるようプログラムされている。即ち、被検出者毎にダイエット用耳つぼ領域で事前に測定された電気抵抗値によりピーク値３１００、ピーク領域３１６０が作成され、表示出力されるようプログラムされている。或いは、男女別・年齢別に予め統計処理された標準的な良導点データをピーク値として用いてもよいものである。
【００７０】
コンテンツ情報記憶領域７５０ｂには、「カルテ」３０１０、「耳つぼダイエット」３０２０、「経穴」３０３０及び「問合せ」３０４０のアイコンが表示されるメニュー画面の情報（図２３参照）や、耳つぼの位置を示す画面情報（図２４参照）等が格納されている。
【００７１】
また、付帯情報記憶領域７５０ｅに格納される付帯情報は、例えば計測日時や被検出者（耳つぼダイエットのサービス提供を受ける者）の個人情報等のカルテ情報である。なお、この付帯情報には、被検出者の性別、年齢、連絡先、体重や身長の情報、摂取した食事やカロリーの情報及び施術した耳つぼ位置の情報を含むものである。また、システム利用に関する情報（例えば、同期情報や課金情報）も付帯情報として取り扱われるよう構成してある。
【００７２】
管理サーバ８００は、クラウド型のサーバコンピュータで、制御処理部８１０、入力部８２０、出力部８３０、記憶部８４０、利用者情報管理部８５０及びコンテンツ情報管理部８６０を内設し、夫々が信号線８７０を介して接続されている。そして、管理サーバ８００は、通信ネットワーク２００を介して検出端末装置７００から送出されてくる計測結果情報及び付帯情報等を受信し、当該情報に対して有用とされる情報を選出して検出端末装置７００に送出する機能を有する。
また、管理サーバ８００は、新規ユーザの登録処理機能及びユーザ端末９００に対して直接的または間接的に各種データの同期処理及び課金処理を行う機能を有する。
さらに、管理サーバ８００は、計測情報やダイエット情報を参照して検出端末装置７００やユーザ端末９００に対して特定のサービス情報を送出する機能を有する。また、管理サーバ８００は、検出端末装置７００やユーザ端末９００から送出されてくる情報に対し応答情報を返信する機能を有する。例えば、検出端末装置７００から送出されてくる専門的な質問情報に対し、制御処理部８１０は当該質問情報に対応する応答情報を記憶部８４０を参照して該当する情報を選出して検出端末装置７００に返信し、或いは入力部８２０を介して入力される回答情報を応答情報として検出端末装置７００に返信する機能を有する。
なお、管理サーバ８００は、検出端末装置７００やユーザ端末９００の使用者がウェブ上で双方向通信が可能となるコミュニティーを形成しコミュニティー空間を提供する機能を有している。また、管理サーバ８００は、検出端末装置７００やユーザ端末９００に対し、当該検出装置７００やユーザ端末９００の情報処理能力を識別して当該処理能力に合致させた形態で各種情報を送出する機能を有する。
【００７３】
制御処理部８１０は、記憶部８４０に格納された所定のプログラム情報を参照してシステム全体の制御処理を司る機能を有する。また、制御処理部８１０は、検出端末装置７００から送出されてくる情報を入力部８２０を介して受信し、当該情報に対して有用と判断する情報を出力部８３０を介して検出端末装置７００に送出する機能を有する。
【００７４】
入力部８２０は、制御処理部８１０の管理下で、外部から送出されてくる情報を受信し記憶部８４０に格納する機能を有する。また、入力部８２０は、制御処理部８１０の管理下で、内設するキーボード等からのキー入力による入力情報を記憶部８４０に格納する機能を有する。
【００７５】
出力部８３０は、制御処理部８１０の管理下で、各種情報を表示出力したり音声出力等する機能を有する。また、出力部８３０は、制御処理部８１０の管理下で、各種情報を通信ネットワーク２００を介して外部へ送出する機能を有する。
【００７６】
記憶部８４０はリード／ライト可能なメモリである。記憶部８４０は、制御処理部８１０が各種制御処理・管理をするために参照するプログラム情報を格納するプログラム情報記憶領域８４０ａ、各種コンテンツ情報を格納しておくためのコンテンツ情報記憶領域８４０ｂ、各種作業を行うための作業領域８４０ｃ、検出端末装置７００から送出されてくる計測結果情報を計測情報として格納する計測情報記憶領域８４０ｄ、ダイエット管理に有用とされるダイエット情報が格納されるダイエット情報記憶領域８４０ｅ、計測情報及び付帯情報並びにダイエット情報を所定の規則に従って対応付けられたテーブル情報が格納されるテーブル情報記憶領域８４０ｆ、及び耳つぼダイエット利用者の個人情報や施術履歴情報等を包含するカルテ情報を有する付帯情報や予約情報を格納する利用者情報記憶領域８４０ｇ等の記憶領域を有する。
而して、利用者情報記憶領域８４０ｇは、検出端末装置７００やユーザ端末９００との同期状況及び課金状況の情報を格納する更新・課金情報記憶領域と、利用者のカルテ情報を格納するカルテ情報記憶領域を有するよう構成されている。
【００７７】
利用者情報管理部８５０は、制御処理部８１０の管理下で、入力されてくる耳つぼダイエット利用者に関する個人情報や予約情報及び施術履歴情報等を利用者情報記憶領域８４０ｇに格納する機能を有する。また、利用者情報管理部８５０は、制御処理部８１０の管理下で、利用者情報記憶領域８４０ｇに格納される情報を参照・選出して送出する機能を有する。
【００７８】
コンテンツ情報管理部８６０は、制御処理部８１０の管理下で、ダイエット管理に関するダイエット情報をダイエット情報記憶領域８４０ｅに格納する機能を有する。また、コンテンツ情報管理部８６０は、制御処理部８１０の管理下で、テーブル情報記憶領域８４０ｆを参照してダイエット情報記憶領域８４０ｅのダイエット情報を選出する機能を有する。
【００７９】
ユーザ端末９００は、ウェブブラウザ機能及び写真撮影機能を有し、当該端末９００全体の制御処理を司る機能を有する制御部９１０、制御部９１０の管理下で各種情報をキー入力等したり通信ネットワーク２００を介して送出されてくる各種情報を受信する機能を有する入力部９２０、制御部９１０の管理下で各種情報を表示出力したり音声出力等したり各種情報を通信ネットワーク２００を介して外部へ送出する機能を有する出力部９３０及びプログラム情報他各種情報をリード／ライト可能に格納する記憶部９４０とから構成される。このユーザ端末９００は、本システム２０の利用に際しては、被検出者としての専用のアプリケーションソフトウェアがインストールされることになる。
【００８０】
上記構成につき、その作用を以下に図を参照して説明する。
【００８１】
耳つぼダイエット管理システム２０を利用するに当っては、ユーザ端末９００の利用者で耳つぼダイエットのサービス提供を受けることになる被検出者は、システムへの登録が必要になる。この登録の流れについて、図１８を参照して説明する。
【００８２】
新規にシステムへ登録する場合（ステップＳ２０２０のＹ）、システム側から仮のＩＤ及びパスワードがマトリックス型二次元コード（例えば「ＱＲコード」（登録商標））とともに発行されるので、被検出者はユーザ端末９００を介して仮のＩＤ及びパスワードを入力するとともに、マトリックス型二次元コードを読み取る。適切に仮のＩＤ及びパスワードの入力及びマトリックス型二次元コードの読み取りがなされると、システム側から利用者情報の入力要求がなされるので、被検出者はユーザ端末９００に表示出力された所定の項目（例えば、名前、性別、年齢、連絡先、身長、体重、利用期間や課金方法等）について、自身に関する情報を入力し、当該入力情報をシステム側に送出することになる（ステップＳ２０４０）。
【００８３】
而して送出された被検出者自身の情報は、管理サーバ８００の記憶部８４０の利用者情報記憶領域８４０ｇに格納される。この後、当該被検出者に関する正式のＩＤが発行されて新規登録処理が終了する（ステップＳ２０６０）。
【００８４】
登録が完了すると、管理サーバ８００は、ユーザ端末９００に対して本システムを利用するに際し必須のアプリケーションソフトウェアを送出することになる。ユーザ端末９００側では、送出されてきたアプリケーションソフトウェアをインストールすることになる。これにより、本システムの利用が可能となる（ステップＳ２０８０）。
【００８５】
次に、システム登録した被検出者によるシステム利用の流れについて、図１９を参照して説明する。
【００８６】
ユーザ端末９００を介して本システムへのアクセスがあると（ステップＳ２１１０）、管理サーバ８００は、当該ユーザ端末９００が本システムを利用可能か否かの判断を行う。即ち、ログイン認証処理を行った後、システム利用の料金が適切に支払われて、システム利用の有効期間内であるか否かの判断を行う（ステップＳ２１２０）。
【００８７】
有効期間内であれば（ステップＳ２１２０のＹ）、管理サーバ８００は、当該ユーザ端末９００に対して同期処理を行う（ステップＳ２１３０）。この同期処理は、記憶部８４０の計測情報記憶領域８４０ｄ、テーブル情報記憶領域８４０ｆ及び利用者情報記憶領域８４０ｇ等を参照して、ユーザ端末９００が有する被検出者の情報を最新情報に更新するものである。
【００８８】
有効期間内ではない場合（ステップＳ２１２０のＮ）、管理サーバ８００は、ユーザ端末９００に対し、本システムの継続利用をするために課金をしてもよいか否かを問合せることになる（ステップＳ２１４０）。ユーザ端末９００側が課金に同意した場合（ステップＳ２１４０のＹ）、管理サーバ８００は課金処理を行い（ステップＳ２１５０）、この後、前述同様管理サーバ８００は、ユーザ端末９００に対して同期処理を行う（ステップＳ２１３０）。
【００８９】
なお、課金に同意しない場合は（ステップＳ２１４０のＮ）、本システムの利用は不可である旨のメッセージが管理サーバ８００からユーザ端末９００に対して送出されるものである。
【００９０】
続いて、被検出者が自身のカルテ情報を閲覧する場合の処理の流れについて、図２０を参照して説明する。
【００９１】
ユーザ端末９００を介して本システムへのアクセスがあると（ステップＳ２２１０）、管理サーバ８００は、当該ユーザ端末９００が本システムを利用可能か否かの判断を行う。即ち、ログイン認証処理を行った後、システム利用の料金が適切に支払われて、システム利用の有効期間内であるか否かの判断を行う（ステップＳ２２２０）。
【００９２】
有効期間内であれば（ステップＳ２２２０のＹ）、管理サーバ８００は、必要に応じて同期処理を行う。そして、管理サーバ８００は、当該ユーザ端末９００からのカルテ閲覧要求に基いて、記憶部８４０を参照して該当するカルテ情報を抽出する（ステップＳ２２３０）。この後、管理サーバ８００は、抽出したカルテ情報をユーザ端末９００に送出する。ユーザ端末９００は、送出されてきたカルテ情報を表示出力し、閲覧可能となる。（ステップＳ２２４０）。
【００９３】
なお、上述した新規登録処理、同期処理或いはカルテ閲覧処理は、検出端末装置７００を介して、行えるよう機能構成してもよいことは勿論である。
【００９４】
さて、ダイエット用の耳つぼを検出する処理の流れを以下に説明する。
【００９５】
ダイエット用の耳つぼを検出するには、先ず検出端末装置７００の出力部７３０に耳つぼダイエット管理のメニュー画面を表示させる（図２１のステップＳ２３１０、図２３参照）。このメニュー画面では「カルテ」３０１０、「耳つぼダイエット」３０２０、「経穴」３０３０及び「問合せ」３０４０のアイコンが表示されるので、表記「耳つぼダイエット」のアイコンをタッチすることにより（ステップＳ２３２０のＹ）、ダイエット用耳つぼ検出作業の準備に移行する（ステップＳ２３３０）。
【００９６】
すると、耳つぼの位置が示された耳の画像が出力部７３０に表示出力される（図２４参照）。ここで、表示されるダイエット用の耳つぼ３０５０の位置は、他の耳つぼ３０６０，３０７０，３０８０，３０９０の位置が黒丸の点状にて表示されるのに対し、長方形状にある程度の領域をもって他とは異なる色で表示される。これは、異なる表示形態にすることで、求めているつぼの位置を明確にするためである。また、つぼは０．５ｍｍ程度の大きさで、その位置は性別、個人差、季節、時間によって微妙に変化するので、ある程度の領域幅をもって表示させているためである。
【００９７】
而して、検出端末装置７００の利用者（検出者）は、把手部７４４ａを被検出者の手のひらで握ることにより面接触させて検出準備が完了すると（ステップＳ２３３０のＹ）、探針部７４２ａを画面表示された領域３０５０にて対応する被検出者の耳の皮膚表面で点接触状態にして検出していくことになる（ステップＳ２３４０）。
即ち、当該領域３０５０に相当する被検出者の耳の領域内で探針部７４２ａを皮膚表面に点接触状態で移動させて、電気抵抗値を測定していくことになる（図２２のステップＳ２３４２、Ｓ２３４４）。計測される抵抗値は、時系列的にその抵抗値が低くなればなるほど背の高い棒グラフで出力部７３０に表示出力されるともに、これと連動して測定メータ３１２０の針３１４０の振りが大きくなるよう出力部７３０に表示出力される（図２５参照）。また、計測される抵抗値は、表示出力と連動して、その抵抗値が低くなればなるほど音が高く且つ発振間隔が短いビープ音にて出力されることになる。抵抗値の状況をグラフ表示する画面には、電気抵抗値が最も低くなると事前に測定された電気抵抗値から想定したピーク値３１００（良導点）が被検出者毎に表示設定されており、このピーク値３１００に達した或いは超えた棒グラフ３１１０が被検出者のダイエット用耳つぼの位置と判断することになる（ステップＳ２３４６のＹ）。同様に、針３１４０は電気抵抗値が最も低くなると想定したピーク領域３１６０に達したときに被検出者のダイエット用耳つぼの位置と判断することになる。
【００９８】
斯様にして検出されたピーク値に該当する位置にて、施術処理が行われることになる（ステップＳ２３５０）。例えば、当該位置にて検出者が被検出者に対し耳つぼシールを貼付し、当該耳つぼシールが検出した耳つぼを押圧することになる。或いは、探針部７４２ａを所定時間発熱するよう構成しておけば、検出した耳つぼ位置にて自動的に発熱させるようにして灸施術処理がなされるようにしてもよいものであり、その他種々の施術処理が行えることは勿論可能である。
【００９９】
また、検出された耳つぼ位置の情報は、スマートフォン７０２が有する写真撮影機能により当該耳つぼ位置の撮影写真と一緒に、検出実施の日付情報及び被検出者の個人情報及び施術位置情報とともにカルテ情報として記録されることになる（ステップＳ２３６０）。即ち、検出端末装置７００の記憶部７５０の計測結果情報記憶領域７５０ｄや付帯情報記憶領域７５０ｅに格納されることになる。また、通信ネットワーク２００を介して、管理サーバ８００の記憶部８４０の計測情報記憶領域８４０ｄ、テーブル情報記憶領域８４０ｆ及び利用者情報記憶領域８４０ｇに格納されることになる。
なお、検出された耳つぼ位置の情報は、ユーザ端末９００の写真撮影機能を利用してカルテ情報として記録してもよいことは勿論である。
【０１００】
また、施術位置の情報は、例えばアニメのキャラクターを模したものであったり、図柄的な模様であったり、被検出者や検出者が任意に設定可能としても良いことは勿論である。
【０１０１】
ここで、ダイエット用耳つぼの検出を次回も行う場合、日時の予約登録処理を行うことになる（ステップＳ２３７０のＹ、Ｓ２３８０）。この予約情報も付帯情報として付帯情報記憶領域７５０ｅに格納され、また通信ネットワーク２００を介して、管理サーバ８００の記憶部８４０のテーブル情報記憶領域８４０ｆ及び利用者情報記憶領域８４０ｇに格納されることになる。
なお、予約登録処理は、ダイエット用耳つぼ検出の一連の流れとは別に、単独で検出端末装置７００やユーザ端末９００或いは他の端末機器から通信ネットワーク２００を介して管理サーバ７００にアクセスして行うことも可能である。
【０１０２】
ところで、管理サーバ８００は、被検出者の耳つぼダイエットに有用と判断さるダイエット情報を被検出者が利用するユーザ端末９００等に適宜送出することが可能なものである。
【０１０３】
即ち、ダイエット用の耳つぼの検出・施術時や例えば１週間後（図２６のステップＳ２４２０のＹ）、管理サーバ８００は、記憶部８４０の計測情報記憶領域８４０ｄ、テーブル情報記憶領域８４０ｆ及び利用者情報記憶領域８４０ｇを参照して（ステップＳ２４４０）、被検出者のダイエットに有用とされるダイエット情報をダイエット情報記憶領域８４０ｅから選出する（ステップＳ２４６０）。そして、選出されたダイエット情報を検知者が係る検出端末装置７００やユーザ端末９００に送出するものである（ステップＳ２４８０）。なお、ダイエット情報送出先の端末を検出端末装置７００やユーザ端末９００としたが、被検出者が指定する他の端末機器でもよいことは勿論である。
【０１０４】
また、管理サーバ８００は、専門的なサービス情報を定期的に被検出者の端末に送出したり、送出されてくる被検出者の質問情報に対し、専門的な回答やアドバイス等の応答情報を被検出者の端末に返信するものである。
【０１０５】
即ち、管理サーバ８００は、カルテとして記録された情報を定期的に参照して被検出者にとって参考となるようなサービス情報を記憶部８４０から選出して、被検出者の端末機器（検出端末装置７００或いはユーザ端末９００や被検出者指定の他の端末機器）に送出する（図２７のステップＳ２５１０）。また、管理サーバ８００は、検出者の検出端末装置７００やユーザ端末９００や他の端末機器から質問・問合せ情報が送出されてくると（ステップＳ２５２０のＹ）、管理サーバ８００は記憶部８４０の計測情報及びダイエット情報を参照することになる（ステップＳ２５３０）。そして、当該質問・問合せ情報に有用と判断される回答・アドバイス情報を記憶部８４０から選出して或いは入力部８２０からの入力情報を応答情報として（ステップＳ２５４０）、検出者が係る検出端末装置７００或いは被検出者のユーザ端末９００や被検出者が指定する他の端末機器に送出するものである（ステップＳ２５５０）。
【０１０６】
なお、上述した有用な情報の提供や、被検出者からの質問情報に対する応答情報或いはアドバイス情報は、検出端末装置７００を介して行えるよう機能構成してもよいことは勿論可能である。また、検出端末装置７００とユーザ端末９００との間で直接行えるよう構成してもよいものである。
さらに、ユーザ端末９００にて被検出者が摂取した食事の写真や体重等の情報を管理サーバ８００や検出端末装置７００に適宜送出するようにして、カルテ情報として記録するよう機能構成してもよい。この場合、当該情報に対して、有用とされる情報を管理サーバ８００や検出端末装置７００からユーザ端末９００へ送出するよう構成することも可能である。
【０１０７】
上記実施形態によれば、ダイエット用の耳つぼ検出は、表示画面に従って探索していけば、視覚的及び聴覚的に耳つぼの位置を適切に検出できるものである。しかも、熟練者でなくても誰でも簡単に耳つぼを迅速に見つけ出すことが可能となるので、便利で有用なものである。
また、ダイエット用の耳つぼの検出だけではなく、カルテによる時系列的な記録管理が行われるとともに、適宜個別のダイエット関連の有用な情報提供及びサービス情報の提供が行われるので、耳つぼダイエットが継続的且つ効果的に行われることが期待できる。
さらに、課金状況に応じて適切なカルテ情報の閲覧やシステム利用が可能となり、実用的なシステム活用ができるものである。
【０１０８】
なお、本発明は上記実施形態に限定されるものではなく、本発明の要旨を逸脱しない限り種々の変形が可能なことは勿論である。
【符号の説明】
【０１０９】
１０，２０          …耳つぼダイエット管理システム
１００，７００      …検出端末装置（耳つぼ検出端末装置）
１４０，７４０      …検出部
１４２，７４２      …第一の電極部
１４４，７４４      …第二の電極部
１４６，７４６      …計測部
１５０，７５０      …記憶部
１５０ｂ，７５０ｂ  …コンテンツ情報記憶領域
１５０ｄ，７５０ｄ  …計測結果情報記憶領域
１５０ｅ，７５０ｅ  …付帯情報記憶領域
２００              …通信ネットワーク
３００，８００      …管理サーバ
３４０ｂ，８４０ｂ  …コンテンツ情報記憶領域
３４０ｄ，８４０ｄ  …計測情報記憶領域
３４０ｅ，８４０ｅ  …ダイエット情報記憶領域
３４０ｆ，８４０ｆ  …テーブル情報記憶領域
３４０ｇ，８４０ｇ  …利用者情報記憶領域
３５０，８４０      …利用者情報管理部
３６０，８６０ｄ    …コンテンツ情報管理部
４００            …フォローセンター端末装置
５００            …運営管理サーバ
６００，９００    …ユーザ端末
【図１】
2016052517.tif 000003
【図２】
2016052517.tif 000004
【図３】
2016052517.tif 000005
【図４】
2016052517.tif 000006
【図５】
2016052517.tif 000007
【図６】
2016052517.tif 000008
【図７】
2016052517.tif 000009
【図８】
2016052517.tif 000010
【図９】
2016052517.tif 000011
【図１０】
2016052517.tif 000012
【図１１】
2016052517.tif 000013
【図１２】
2016052517.tif 000014
【図１３】
2016052517.tif 000015
【図１４】
2016052517.tif 000016
【図１５】
2016052517.tif 000017
【図１６】
2016052517.tif 000018
【図１７】
2016052517.tif 000019
【図１８】
2016052517.tif 000020
【図１９】
2016052517.tif 000021
【図２０】
2016052517.tif 000022
【図２１】
2016052517.tif 000023
【図２２】
2016052517.tif 000024
【図２３】
2016052517.tif 000025
【図２４】
2016052517.tif 000026
【図２５】
2016052517.tif 000027
【図２６】
2016052517.tif 000028
【図２７】
2016052517.tif 000029